(57)【要約】【課題】中段コードの間に昇降コードを挿通する作業を容易に行うことの可能な横型ブラインドを提供する。【解決手段】横型ブラインド１００は、スラット１３０を支持するラダーコード１２０と、スラット１３０を昇降させるための昇降コード１４０と、を備え、ラダーコード１２０は、スラット１３０の前後に垂下され昇降コード１４０よりも幅が広い前後の縦コード１２２、１２４と、前後の縦コード１２２、１２４を連結する少なくとも２本の中段コード１２６、１２８と、を有し、少なくとも２本の中段コード１２６、１２８の両端部は、昇降コード１４０が少なくとも２本の中段コード１２６、１２８の間に挿通可能に左右に離間した状態で縦コード１２２、１２４に連結されることを特徴とする。かかる構成により、中段コードの間に昇降コードを挿通する作業を容易に行うことの可能な横型ブラインドが提供される。【選択図】図１
2020051212.tif 000002
【特許請求の範囲】
【請求項１】
スラットを支持するラダーコードと、前記スラットを昇降させるための昇降コードと、を備えた横型ブラインドであって、
前記ラダーコードは、前記スラットの前後に垂下され前記昇降コードよりも幅が広い前後の縦コードと、前記前後の縦コードを連結する少なくとも２本の中段コードと、を有し、
前記少なくとも２本の中段コードの両端部は、前記昇降コードが前記少なくとも２本の中段コードの間に挿通可能に左右に離間した状態で前記縦コードに連結されることを特徴とする、横型ブラインド。
【請求項２】
前記少なくとも２本の中段コードの両端部は、前記前後の縦コードの対向する面に連結されることを特徴とする、請求項１に記載の横型ブラインド。
【請求項３】
スラットを支持するラダーコードと、前記スラットを昇降させるための昇降コードと、を備えた横型ブラインドであって、
前記ラダーコードは、前記スラットの前後に垂下された縦コードと、前記前後の縦コードを連結する少なくとも２本の中段コードと、を有し、
前記少なくとも２本の中段コードの両端部は、前記昇降コードが前記少なくとも２本の中段コードの間に挿通可能に左右に離間した状態で前記前後の縦コードの対向する面に連結されることを特徴とする、横型ブラインド。
【請求項４】
前記少なくとも２本の中段コードは、左右に並列して配置されることを特徴とする、請求項１〜３のいずれかに記載の横型ブラインド。
【請求項５】
前記少なくとも２本の中段コードは、上下左右方向に離間して配置されることを特徴とする、請求項１〜３のいずれかに記載の横型ブラインド。
【請求項６】
前記スラットの前後の縁部のうち少なくとも一方には、前記昇降コード又は前記少なくとも２本の中段コードが挿通する切欠部が設けられることを特徴とする、請求項１〜５のいずれかに記載の横型ブラインド。
【請求項７】
前記切欠部は、前記スラットの縁部に向けて幅が広がる形状であり、
前記縦コードの幅は、前記切欠部の最小幅以上で最大幅以下であることを特徴とする、請求項６に記載の横型ブラインド。
【請求項８】
前記少なくとも２本の中段コードは、両端部近傍に互いに離間する方向に折り曲げられた折曲部が設けられることを特徴とする、請求項１〜７のいずれかに記載の横型ブラインド。
【請求項９】
スラットを支持するラダーコードと、前記スラットを昇降させるための昇降コードと、を備えた横型ブラインドであって、
前記ラダーコードは、前記スラットの前後に垂下された縦コードと、前記前後の縦コードを連結する少なくとも２本の中段コードと、を有し、
前記少なくとも２本の中段コードは、両端部近傍に互いに離間する方向に折り曲げられた折曲部が設けられており、前記昇降コードが前記少なくとも２本の中段コードの間に挿通可能であることを特徴とする、横型ブラインド。
【発明の詳細な説明】
【技術分野】
【０００１】
本発明は横型ブラインドに関する。
【背景技術】
【０００２】
従来の横型ブラインドとしては、特許第６０５９２２１号公報（特許文献１）に示されるものがある。同文献に示されるブラインドにおいては、ラダーコードの一対の縦糸間に一組の横糸同士で交差部を形成して、横糸と一方の縦糸と交差部とによって囲まれる昇降コード挿通空間を形成する。そして、ラダーコードの各段の横糸の交差部での左右方向の交差位置を一段毎に入れ替え、昇降コード挿通空間に昇降コードをラダーコードの左右方向から交互に挿通する。
【０００３】
これによれば、昇降コード挿通空間に昇降コードを左右方向に交互に挿通することができ、昇降コードのラダーコードへの挿通作業を容易に行うことができる効果を有する。
【先行技術文献】
【特許文献】
【０００４】
【特許文献１】特許第６０５９２２１号公報
【発明の概要】
【発明が解決しようとする課題】
【０００５】
しかしながら、特許文献１に示される横型ブラインドでは、一組の横糸は縦糸に対し上下方向ほぼ垂直面に沿って形成される。このため、縦糸と交差部とによって囲まれる昇降コード挿通空間は、縦糸に対して上下方向ほぼ垂直面に設けられた左右方向の開口となる。よって、昇降コードを昇降コード挿通空間に挿通させる際には、縦糸の斜め又は左右横方向から左右交互に昇降コード挿通空間に挿通させる作業となる。このため、昇降コードを昇降コード挿通空間に挿通させる作業が煩雑になるという問題があった。
【０００６】
そこで本発明は、このような問題に鑑みてなされたもので、その目的とするところは、中段コードの間に昇降コードを挿通する作業を容易に行うことの可能な横型ブラインドを提供することにある。
【課題を解決するための手段】
【０００７】
上記課題を解決するために、本発明の第１の観点によれば、スラットを支持するラダーコードと、前記スラットを昇降させるための昇降コードと、を備えた横型ブラインドであって、前記ラダーコードは、前記スラットの前後に垂下され前記昇降コードよりも幅が広い前後の縦コードと、前記前後の縦コードを連結する少なくとも２本の中段コードと、を有し、前記少なくとも２本の中段コードの両端部は、前記昇降コードが前記少なくとも２本の中段コードの間に挿通可能に左右に離間した状態で前記縦コードに連結されることを特徴とする、横型ブラインドが提供される。
【０００８】
かかる構成によれば、中段コードの両端部は、昇降コードが中段コードの間に挿通可能に左右に離間した状態で縦コードに連結されることで、昇降コードは、中段コードの間を上下方向に挿通することができる。よって、中段コードの間に昇降コードを挿通する作業を容易に行うことができる。また、前後の縦コードが昇降コードよりも幅が広いため、横型ブラインド前後面からの昇降コードの露出を抑えることができる。
【０００９】
また、前記少なくとも２本の中段コードの両端部は、前記前後の縦コードの対向する面に連結されてもよい。中段コードの両端部は、縦コードの中段コードと対向する面に設けられることで、横型ブラインド前後面からの昇降コードの露出を抑えることができる。
【００１０】
また、本発明の第２の観点によれば、スラットを支持するラダーコードと、前記スラットを昇降させるための昇降コードと、を備えた横型ブラインドであって、前記ラダーコードは、前記スラットの前後に垂下された縦コードと、前記前後の縦コードを連結する少なくとも２本の中段コードと、を有し、前記少なくとも２本の中段コードの両端部は、前記昇降コードが前記少なくとも２本の中段コードの間に挿通可能に左右に離間した状態で前記前後の縦コードの対向する面に連結されることを特徴とする、横型ブラインド。
【００１１】
かかる構成によれば、中段コードの両端部は、昇降コードが中段コードの間に挿通可能に左右に離間した状態で縦コードに連結されることで、昇降コードは、中段コードの間を上下方向に挿通することができる。よって、中段コードの間に昇降コードを挿通する作業を容易に行うことができる。
【００１２】
また、前記少なくとも２本の中段コードは、左右に並列して配置されてもよい。少なくとも２本の中段コードは、左右に並列した状態で設けられることで、スラットの全閉時又は逆全閉時において、中段コード同士が干渉しないために前後の縦コード同士が近づきやすくなる。よって、中段コードの傾斜角度が大きくなるため、スラットの遮蔽性を向上できる。
【００１３】
また、前記少なくとも２本の中段コードは、上下左右方向に離間して配置されてもよい。中段コードは、上下左右方向に離間して配置したことで、中段コードの間がスラットを挿通できるように一定距離で離れる。よって、中段コードの間にスラットを挿通させるときの組み立て性を向上できる。
【００１４】
また、前記スラットの前後の縁部うち少なくとも一方には、前記昇降コード又は前記少なくとも２本の中段コードが挿通する切欠部が設けられてもよい。スラットの切欠部に昇降コード又は中段コードが挿通することで、スラットがスラット長手方向に横ずれすることを防止できる。
【００１５】
また、前記切欠部は、前記スラットの縁部に向けて幅が広がる形状であり、前記縦コードの幅は、前記切欠部の最小幅以上で最大幅以下であってもよい。縦コードがスラットの切欠部に挿入可能であるため、縦コードによるスラットの押圧が減少する。
【００１６】
また、前記少なくとも２本の中段コードは、両端部近傍に互いに離間する方向に折り曲げられた折曲部（例えば、くの字やＬ字の折曲部）が設けられてもよい。よって、折曲部によって２本の中段コードの離間の状態が保ちやすいため、２本の中段コードの間に昇降コードを挿通する作業を容易に行うことができる。
【００１７】
また、本発明の第３の観点によれば、スラットを支持するラダーコードと、前記スラットを昇降させるための昇降コードと、を備えた横型ブラインドであって、前記ラダーコードは、前記スラットの前後に垂下された縦コードと、前記前後の縦コードを連結する少なくとも２本の中段コードと、を有し、前記少なくとも２本の中段コードは、両端部近傍に互いに離間する方向に折り曲げられた折曲部が設けられており、前記昇降コードが前記少なくとも２本の中段コードの間に挿通可能であることを特徴とする、横型ブラインドが提供される。
【００１８】
かかる構成によれば、中段コードの両端部近傍に互いに離間する方向に折り曲げられた折曲部（例えば、くの字やＬ字の折曲部）が設けられたことで、折曲部によって２本の中段コードの離間の状態が保ちやすいため、２本の中段コードの間に昇降コードを挿通する作業を容易に行うことができる。
【発明の効果】
【００１９】
本発明によれば、中段コードの間に昇降コードを挿通する作業を容易に行うことの可能な横型ブラインドを提供することができる。本発明のその他の効果については、後述する発明を実施するための形態においても説明する。
【図面の簡単な説明】
【００２０】
【図１】第１の実施形態の横型ブラインド１００の全体構成を示す図である。
【図２】ラダーコード１２０の構成を説明するための図であり、（ａ）はラダーコード１２０の側面図であり、（ｂ）はラダーコード１２０の斜視図であり、（ｃ）は（ａ）のＡ−Ａ断面図であり、（ｄ）は（ｃ）のＢ−Ｂ断面図である。
【図３】ラダーコード１２０の間にスラット１３０が挿通した状態を示す図であり、（ａ）は平面図であり、（ｂ）は側面図であり、（ｃ）は斜視図である。
【図４】横型ブラインド１００の作用を説明するための図である。
【図５】第２の実施形態の横型ブラインド２００のスラット２３０を支持したラダーコード２２０の状態を示す図であり、（ａ）は平面図であり、（ｂ）は側面図である。
【図６】第３の実施形態の横型ブラインド３００のラダーコード３２０を説明するための図であり、（ａ）はラダーコードの側面図であり、（ｂ）はラダーコードの斜視図であり、（ｃ）はラダーコードがスラットを支持した状態を示す側面図である。
【図７】第４の実施形態の横型ブラインド４００のラダーコード４２０を説明するための図であり、（ａ）はラダーコード４２０の斜視図であり、（ｂ）はラダーコード４２０がスラット４３０を支持した状態を示す平面図である。
【図８】第５の実施形態の横型ブラインド５００のスラット５３０を支持したラダーコード５２０の状態を示す図であり、（ａ）は斜視図であり、（ｂ）は平面図である。
【図９】第６の実施形態の横型ブラインド６００のラダーコード６２０の状態を示す図であり、（ａ）はラダーコード６２０の構成の一例を示す断面図であり、（ｂ）はラダーコード６２０がスラット６３０を支持した状態を示す図であり、（ｃ）はラダーコード６２０の構成の他の例を示す断面図であり、（ｄ）は他の例のラダーコード６２０がスラット６３０を支持した状態を示す図である。
【発明を実施するための形態】
【００２１】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２２】
（第１の実施形態）
第１の実施形態に係る横型ブラインドの全体の構成について、図１を参照しながら説明する。図１は、第１の実施形態の横型ブラインド１００の全体構成を示す図である。横型ブラインド１００は、ヘッドボックス１１０と、ヘッドボックス１１０から吊下げ支持されるラダーコード１２０と、ラダーコード１２０に支持されるスラット１３０と、スラット１３０を昇降させるための昇降コード１４０と、を備えて構成される。以下、各構成要素について詳細に説明する。
【００２３】
（ヘッドボックス１１０）
ヘッドボックス１１０は、図１に示したように、窓枠や天井等の開口部にブラケット１１２を介して固定されている。ヘッドボックス１１０の正面には、チルタ入力軸１１４が設けられている。チルタ入力軸１１４の回転によりスラット１３０が傾動する。チルタ入力軸１１４の先端には操作棒１１６が一体に回転するように設けられており、チルタ入力軸１１４は、操作棒１１６により回転を操作される。
【００２４】
（ラダーコード１２０）
ラダーコード１２０は、スラット１３０を整列状態に支持するものである。ラダーコード１２０は、図１に示したように、ヘッドボックス１１０から吊下げられてスラット１３０を整列状態に支持している。ラダーコード１２０は、チルタ入力軸１１４の回転によって傾動し、支持しているスラット１３０を回転させる。ラダーコード１２０の下端はボトムレール１５０に連結されている。
【００２５】
以下、ラダーコード１２０の構成について、図２を参照しながら詳細に説明する。図２は、ラダーコード１２０の構成を説明するための図であり、（ａ）はラダーコード１２０の側面図であり、（ｂ）はラダーコード１２０の斜視図であり、（ｃ）は（ａ）のＡ−Ａ断面図であり、（ｄ）は（ｃ）のＢ−Ｂ断面図である。
【００２６】
ラダーコード１２０は、前後の縦コード１２２、１２４と、前後の縦コード１２２、１２４を連結する複数段の中段コード１２６、１２８とを備えて構成される。ラダーコード１２０は、図２に示したように、スラット１３０の前後に垂下され昇降コード１４０よりも幅が広い前後の縦コード１２２、１２４と、前後の縦コード１２２、１２４を連結する２本の中段コード１２６、１２８と、を有する。２本の中段コード１２６、１２８の両端部は、図２（ｂ）、（ｃ）に示したように、昇降コード１４０が２本の中段コード１２６、１２８の間に挿通可能に左右に離間した状態で前後の縦コード１２２、１２４の対向する面に連結される。また、２本の中段コード１２６、１２８は、図２（ａ）、（ｄ）に示したように、左右に並列して配置される。
【００２７】
（スラット１３０）
スラット１３０は、開口部を閉鎖するものである。スラット１３０は、図１に示したように、ラダーコード１２０によって整列状態に支持されており、ラダーコード１２０が傾動することによって回転する。スラット１３０には、図３に示したように、スラット１３０の前後の縁部のうち後の縁部には、昇降コード１４０又は２本の中段コード１２６、１２８が挿通する切欠部１３０ａが設けられる。図３は、ラダーコード１２０の間にスラット１３０が挿通した状態を示す図であり、（ａ）は平面図であり、（ｂ）は側面図であり、（ｃ）は斜視図である。
【００２８】
切欠部１３０ａは、図３（ａ）に示したように、スラット１３０の縁部に向かうにしたがって幅が広くなるように斜めに形成されたテーパ部１３０ｂが設けられている。テーパ部１３０ｂは、ラダーコード１２０にスラット１３０を組み付ける際に、ラダーコード１２０が切欠部１３０ａに引っかかることを軽減するためのものである。テーパ部１３０ｂのスラット１３０の縁部側の端部は前後の縦コード１２２、１２４の幅よりも広く、反対側の端部は前後の縦コード１２２、１２４の幅よりも狭く形成されている。よって、テーパ部１３０ｂの深さ方向の途中位置までは、後ろの縦コード１２４が挿入可能である。なお、本実施形態では、テーパ部１３０ｂの形状を直線としたが、例えば曲線など任意の形状でよい。
【００２９】
スラット１３０は、図３に示したように、２本の中段コード１２６、１２８の間に配置される。すなわち、一方の中段コード１２６がスラット１３０の下に、他方の中段コード１２８がスラット１３０の上に配置されてスラット１３０を支持する。２本の中段コード１２６、１２８は、切欠部１３０ａに収容される。
【００３０】
（昇降コード１４０）
昇降コード１４０は、これが昇降することによりスラット１３０を昇降するものである。昇降コード１４０は、図１に示したように、ヘッドボックス１１０の長手方向に間隔をあけて複数設けられている。それぞれの昇降コード１４０は、一端が複数のスラット１３０の最下段に配置されるボトムレール１５０に連結され、他端が複数のスラット１３０を挿通してヘッドボックス１１０内に導入される。ボトムレール１５０は、昇降コード１４０が昇降することによってスラット１３０を昇降させるものである。
【００３１】
ヘッドボックス１１０内に導入された昇降コード１４０は、ヘッドボックス１１０の一端に導かれて、ストッパー（図示せず）を介してチルタ入力軸１１４及び操作棒１１６を挿通して、操作棒１１６の下方に導出されてコード止め１４２に連結される。昇降コード１４０は、スラット１３０を最も下降させた状態で、操作棒１１６の直ぐ下にコード止め１４２が配置されるような長さに設定されている。
【００３２】
以上、本実施形態の横型ブラインド１００の全体構成について説明した。次に、本実施形態の横型ブラインド１００の作用について、図４を参照しながら説明する。図４は、横型ブラインド１００の動作を説明するための図である。
【００３３】
操作棒１１６を操作してチルタ入力軸１１４を回転駆動させると、図４に示したように、スラット１３０を全閉状態まで傾動させることができる。スラット１３０を支持している２本の中段コード１２６、１２８は、左右方向に離間しているため、スラット１３０を傾動させたときに上下に重ならない。よって、中段コード１２６、１２８が重なるとスラット１３０を傾動させる角度が浅くなってしまうが、中段コード１２６、１２８が重ならないことによって、スラット１３０を傾動させる角度が浅くなることが防止される。
【００３４】
（第１の実施形態の効果）
以上説明したように、本実施形態によれば、中段コード１２６、１２８の両端部は、昇降コード１４０が中段コード１２６、１２８の間に挿通可能に左右に離間した状態で縦コード１２２、１２４に連結されることで、昇降コード１４０は、中段コード１２６、１２８の間を上下方向に挿通することができる。よって、中段コード１２６、１２８の間に昇降コード１４０を挿通する作業を容易に行うことができる。
【００３５】
また、中段コード１２６、１２８の両端部は、縦コード１２２、１２４の中段コード１２６、１２８と対向する面に設けられることで、横型ブラインド１００の前後面からの昇降コード１４０の露出を抑えることができる。
【００３６】
また、少なくとも２本の中段コード１２６、１２８は、左右に並列した状態で設けられることで、スラット１３０の全閉時又は逆全閉時において、中段コード１２６、１２８同士が干渉しないために前後の縦コード１２２、１２４同士が近づきやすくなる。よって、中段コード１２６、１２８の傾斜角度が大きくなるため、スラット１３０の遮蔽性を向上できる。
【００３７】
スラット１３０の切欠部１３０ａに昇降コード１４０又は中段コード１２６、１２８が挿通することで、スラット１３０がスラット１３０の長手方向に横ずれすることを防止できる。
【００３８】
また、切欠部１３０ａがスラット１３０の縁部に向けて幅が広がる形状であり、縦コード１２２、１２４の幅は、切欠部１３０ａの最小幅以上で最大幅以下である。このため、縦コード１２２、１２４がスラット１３０の切欠部１３０ａに挿入可能であるため、縦コード１２２、１２４によるスラット１３０の押圧が減少する。
【００３９】
（第２の実施形態）
第２の実施形態に係る横型ブラインド２００の構成について、図５を参照しながら説明する。図５は、第２の実施形態の横型ブラインド２００のスラット２３０を支持したラダーコード２２０の状態を示す図であり、（ａ）は平面図であり、（ｂ）は側面図である。本実施形態は、上記第１の実施形態とは主にスラット２３０の形状が異なるものであり、本実施形態では、上記第１の実施形態と異なる点を中心に説明する。実質的に同一の機能構成を有する構成要素については、同一の符号を付することにより重複説明を省略する。
【００４０】
本実施形態のラダーコード２２０、昇降コード２４０は、第１の実施形態のラダーコード１２０、昇降コード１４０と実質的に同様である。
【００４１】
スラット２３０は、図５（ａ）に示したように、昇降コード２４０が挿通する挿通孔２３０ａが設けられている。スラット２３０には、第１の実施形態のスラット１３０のような切欠部１３０ａは設けられていない。スラット２３０は、前後方向中央位置に昇降コード２４０が挿通する挿通孔２３０ａが設けられている。挿通孔２３０ａは、前後方向に延びる長孔である。２本の中段コード２２６、２２８は、挿通孔２３０ａとほぼ同じ幅で離間して縦コード２２２、２２４に連結されている。
【００４２】
昇降コード２４０は、図５（ｂ）に示したように、スラット２３０の前後方向中央位置から垂下しており、複数のスラット２３０の挿通孔２３０ａを順次挿通している。２本の中段コード２２６、２２８の間隔が挿通孔２３０ａの幅とほぼ同じであるため、昇降コード２４０は、２本の中段コード２２６、２２８の間と挿通孔２３０ａとを上下方向に容易に挿通させることができる。
【００４３】
（第２の実施形態の効果）
以上説明したように、本実施形態によれば、２本の中段コード２２６、２２８の間隔が挿通孔２３０ａの幅とほぼ同じであるため、昇降コード２４０は、２本の中段コード２２６、２２８の間と挿通孔２３０ａとを上下方向に容易に挿通させることができる。よって、挿通孔２３０ａを設けたスラット２３０にも２本の中段コード２２６、２２８を離間させたラダーコード２２０を用いることができる。
【００４４】
（第３の実施形態）
第３の実施形態に係る横型ブラインド３００の構成について、図６を参照しながら説明する。図６は、第３の実施形態の横型ブラインド３００のラダーコード３２０を説明するための図であり、（ａ）はラダーコード３２０の側面図であり、（ｂ）はラダーコード３２０の斜視図であり、（ｃ）はラダーコード３２０がスラット３３０を支持した状態を示す側面図である。本実施形態は、上記第１の実施形態とはラダーコード３２０の構成が異なるものであり、本実施形態では、上記第１の実施形態と異なる点を中心に説明する。実質的に同一の機能構成を有する構成要素については、同一の符号を付することにより重複説明を省略する。
【００４５】
ラダーコード３２０は、図６に示したように、２本の中段コード３２６、３２８が上下左右方向に離間して配置されて前後の縦コード３２２、３２４に連結されている。２本の中段コード３２６、３２８は、図６（ａ）、（ｂ）に示したように、第１の実施形態のラダーコード１２０の２本の中段コード１２６、１２８と同様に昇降コード３４０が上下方向に挿通可能な間隔で左右方向に離間している。これに加えて、２本の中段コード３２６、３２８は、図６（ｃ）に示したように、上下方向に離間している。
【００４６】
２本の中段コード３２６、３２８の上下方向の間隔は、スラット３３０の高さ寸法と同程度である。なお、本実施形態の２本の中段コード３２６、３２８の上下方向の間隔は、一例である。２本の中段コード３２６、３２８の上下方向の間隔は、２本の中段コード３２６、３２８の間に横方向からスラット３３０を挿通しやすく、かつ中段コード３２６、３２８でスラット３３０を保持できるように一定距離で離れていればよく、任意の幅に設計することができる。
【００４７】
（第３の実施形態の効果）
以上説明したように、本実施形態によれば、２本の中段コード３２６、３２８の上下方向の間がスラット３３０を挿通できるように一定距離で離れる。よって、２本の中段コード３２６、３２８の間にスラット３３０を挿通させるときの組み立て性を向上できる。
【００４８】
（第４の実施形態）
第４の実施形態に係る横型ブラインド４００の構成について、図７を参照しながら説明する。図７は、第４の実施形態の横型ブラインド４００のラダーコード４２０を説明するための図であり、（ａ）はラダーコード４２０の斜視図であり、（ｂ）はラダーコード４２０がスラット４３０を支持した状態を示す平面図である。本実施形態は、上記第１の実施形態とはラダーコード４２０の構成が異なるものであり、本実施形態では、上記第１の実施形態と異なる点を中心に説明する。実質的に同一の機能構成を有する構成要素については、同一の符号を付することにより重複説明を省略する。
【００４９】
ラダーコード４２０は、図７に示したように、２本の中段コード４２６、４２８を交差させて交差部ＣＰを構成して配置されており、それぞれの両端部は前後の縦コード４２２、４２４に左右に並列して連結されている。よって、２本の中段コード４２６、４２８は交差部ＣＰで上下方向に重なり合う。前後の縦コード４２２、４２４に連結される２本の中段コード４２６、４２８の端部間の間隔は昇降コード４４０が上下方向に挿通可能な幅である。この幅は、第１の実施形態の２本の中段コード１２６、１２８と同様であってもよいし、異なっていてもよい。
【００５０】
昇降コード４４０は、図７（ａ）に示したように、前後の縦コード４２２、４２４と交差させた２本の中段コード４２６、４２８とで構成される三角形の空間に挿通する。スラット４３０は、図７（ｂ）に示したように、上下に交差させた２本の中段コード４２６、４２８の間に配置されて支持される。
【００５１】
（第４の実施形態の効果）
以上説明したように、本実施形態によれば、中段コード４２６、４２８両端部は、昇降コード４４０が中段コード４２６、４２８の間に挿通可能に左右に離間した状態で縦コード４２２、４２４に連結されることで、昇降コード４４０は、中段コード４２６、４２８の間を上下方向に挿通することができる。よって、中段コード４２６、４２８の間に昇降コード４４０を挿通する作業を容易に行うことができる。
【００５２】
（第５の実施形態）
第５の実施形態に係る横型ブラインド５００の構成について、図８を参照しながら説明する。図８は、第５の実施形態の横型ブラインド５００のスラット５３０を支持したラダーコード５２０の状態を示す図であり、（ａ）は斜視図であり、（ｂ）は平面図である。本実施形態は、ラダーコード５２０がスラット５３０を支持する構成が上記第４の実施形態と異なるものであり、本実施形態では、上記第１の実施形態と異なる点を中心に説明する。実質的に同一の機能構成を有する構成要素については、同一の符号を付することにより重複説明を省略する。
【００５３】
本実施形態のラダーコード５２０、スラット５３０、昇降コード５４０は、第４の実施形態のラダーコード４２０、スラット４３０、昇降コード４４０と実質的に同様である。
【００５４】
ラダーコード５２０は、図８（ａ）に示したように、２本の中段コード５２６、５２８を交差させて交差部ＣＰを構成して配置されており、それぞれの両端部は前後の縦コード５２２、５２４に左右に並列して連結されている。上下に交差させた２本の中段コード５２６、５２８の一方の端部寄り部分の上下の位置関係を逆にすることで形成された空間にスラット５３０が配置される。このとき、スラット５３０は、図８（ｂ）に示したように、交差部ＣＰが切欠部５３０ａに配置されるように、２本の中段コード５２６、５２８の間に配置される。昇降コード５４０は、切欠部５３０ａ内で、縦コード５３４、２本の中段コード５２６、５２８及び交差部ＣＰによって構成される空間に配置される。
【００５５】
２本の中段コード５２６、５２８の上下の位置関係を逆にするのは、図８（ａ）に示したように、縦コード５２２側に位置する中段コード５２６、５２８である。図８（ｂ）に示したように、交差部ＣＰよりも縦コード５２２側に位置する２本の中段コード５２６、５２８間でスラット５３０を支持する。
【００５６】
（第５の実施形態の効果）
以上説明したように、本実施形態によれば、中段コード５２６、５２８両端部は、昇降コード５４０が中段コード５２６、５２８の間に挿通可能に左右に離間した状態で縦コード５２２、５２４に連結されることで、昇降コード５４０は、中段コード５２６、５２８の間を上下方向に挿通することができる。よって、中段コード５２６、５２８の間に昇降コード５４０を挿通する作業を容易に行うことができる。また、スラット５３０の切欠部５３０ａに２本の中段コード５２６、５２８の交差部ＣＰが挿通することで、スラット５３０が長手方向に横ずれすることをより一層防止できる。
【００５７】
（第６の実施形態）
第６の実施形態に係る横型ブラインド６００の構成について、図９を参照しながら説明する。図９は、第６の実施形態の横型ブラインド６００のラダーコード６２０の状態を示す図であり、（ａ）はラダーコード６２０の構成の一例を示す断面図であり、（ｂ）はラダーコード６２０がスラット６３０を支持した状態を示す図であり、（ｃ）はラダーコード６２０の構成の他の例を示す断面図であり、（ｄ）は他の例のラダーコード６２０がスラット６３０を支持した状態を示す図である。本実施形態は、上記第１の実施形態とは主にラダーコード６２０の構成が異なるものであり、本実施形態では、上記第１の実施形態と異なる点を中心に説明する。実質的に同一の機能構成を有する構成要素については、同一の符号を付することにより重複説明を省略する。
【００５８】
本実施形態のスラット６３０、昇降コード６４０は、第１の実施形態のスラット１３０、昇降コード１４０と実質的に同様である。
【００５９】
ラダーコード６２０は、図９（ａ）に示したように、前後の縦コード６２２、６２４の幅が昇降コード６４０の幅と略同等又は昇降コード６４０の幅よりも小さい。２本の中段コード６２６、６２８の両端部は、第１の実施形態の２本の中段コード１２６、１２８の両端部よりも狭い間隔で前後の縦コード６２２、６２４に連結されている。２本の中段コード６２６、６２８には、両端部近傍に互いに離間する方向にくの字に折り曲げられた折曲部６２６ａ、６２８ａが設けられる。スラット６３０の切欠部６３０ａに位置する２本の中段コード６２６、６２８の間隔は、図９（ｂ）に示したように、昇降コード６４０の幅と同等又は昇降コード６４０よりも若干広幅である。
【００６０】
なお、ラダーコード６２０は、図９（ｃ）に示したように、折曲部６２６ａ、６２８ａの形状をＬ字状にし、図９（ｄ）に示したように、スラット６３０を支持するようにしてもよい。
【００６１】
（第６の実施形態の効果）
以上説明したように、本実施形態によれば、中段コード６２６、６２８の両端部は、昇降コード６４０が中段コード６２６、６２８の間に挿通可能に左右に離間した状態で縦コード６２２、６２４に連結されることで、昇降コード６４０は、中段コード６２６、６２８の間を上下方向に挿通することができる。よって、中段コード６２６、６２８の間に昇降コード６４０を挿通する作業を容易に行うことができる。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６３】
例えば、上記実施形態において、中段コードの構成は全てのラダーコードの全ての中段コードに適用されていてもよく、任意のラダーコードの任意の中段コードに適用されていてもよい。
【００６４】
また、上記実施形態では、少なくとも２本の中段コードの両端部は、前後の縦コードの対向する面に連結される構成としたが、本発明ではこの例に限定されない。昇降コードが少なくとも２本の中段コードの間に挿通可能に左右に離間した状態で縦コードに連結される構成であれば、任意の構成でよい。
【００６５】
また、上記実施形態では、少なくとも２本の中段コードは、左右に並列して配置される構成としたが、本発明はこの例に限定さない。昇降コードが少なくとも２本の中段コードの間に挿通可能に左右に離間した状態で縦コードに連結される構成であれば、任意の構成でよい。
【００６６】
また、上記第１の実施形態では、スラット１３０の前後の縁部の一方に、昇降コード１４０又は少なくとも２本の中段コード１２６、１２８が挿通する切欠部１３０ａが設けられる構成としたが、本発明はこの例に限定されない。切欠部はスラットの前後の縁部の両方に設けられる構成としてもよい。この点は、上記第３〜第６の実施形態においても同様である。
【００６７】
また、上記第１の実施形態では、切欠部１３０ａは、スラット１３０の縁部に向けて幅が広がる形状であり、縦コード１２２、１２４の幅は、切欠部１３０ａの最小幅以上で最大幅以下である構成としたが、本発明はこの例に限定されない。切欠部は任意の構成としてよく、例えば、切欠部はスラットの前後方向にかけて同じ幅としてもよい。この点は、上記第３〜第５の実施形態においても同様である。
【００６８】
また、上記第６の実施形態では、くの字やＬ字の折曲部としたが、本発明はこの例に限定されず、少なくとも２本の中段コードは、両端部近傍に互いに離間する方向に折り曲げられた折曲部であれば、折線や曲線等の任意の形状でよい。また、中段コードに折曲部を設ける場合には、中段コードの両端部は、左右に離間していない状態で縦コードに連結されてもよい。
【００６９】
以上説明した実施形態、変更例及び応用例の内容は、適宜組み合わせて実施できる。
【符号の説明】
【００７０】
１００、２００、３００、４００、５００、６００  横型ブラインド
１１０  ヘッドボックス
１１２  ブラケット
１１４  チルタ入力軸
１１６  操作棒
１２０、２２０、３２０、４２０、５２０、６２０  ラダーコード
１２２、１２４、２２２、２２４、３２２、３２４、４２２、４２４、５２２、５２４、６２２、６２４  縦コード
１２６、１２８、２２６、２２８、３２６、３２８、４２６、４２８、５２６、５２８、６２６、６２８  中段コード
１３０、２３０、３３０、４３０、５３０、６３０  スラット
１３０ａ、５３０ａ、６３０ａ  切欠部
１３０ｂ  テーパ部
１４０、２４０，３４０、４４０、５４０、６４０  昇降コード
１４２  コード止め
１５０  ボトムレール
２３０ａ  挿通孔
６２６ａ、６２８ａ  折曲部
ＣＰ  交差部
【図１】
2020051212.tif 000003
【図２】
2020051212.tif 000004
【図３】
2020051212.tif 000005
【図４】
2020051212.tif 000006
【図５】
2020051212.tif 000007
【図６】
2020051212.tif 000008
【図７】
2020051212.tif 000009
【図８】
2020051212.tif 000010
【図９】
2020051212.tif 000011